(57)【要約】【課題】吐出ポンプについて、別部品のストッパー等を必要とすることなく、ノズルを上限位置にロックしてノズルが誤って押し下げられるのを防止できると共に、ノズルの押し下げロック解除の操作を簡単に行なうことができて、しかも、外力によってノズルが傾くことがないようにする。【解決手段】ノズルとピストンを連結するステム部分の外面側に規制用リブ４ｄを形成すると共に、キャップの筒状部分３ａの内面側に、ステム部分を貫通させる開口縁部３ｄを、下降規制面３ｅを上面側に有し、且つ、下降許容溝３ｆの部分で不連続となるように、内方に突出した状態で円周方向に沿って形成し、また、開口縁部３ｄの下降規制面３ｅから上方に、回動規制部３ｇを、規制用リブ４ｄが下降規制面３ｄに当接した所定の位置と、規制用リブ４ｄが下降許容溝３ｆに嵌入する位置とで、それぞれ規制用リブ４ｄと円周方向で当接するように形成する。【選択図】      図６
2004218556.tif 000002
【特許請求の範囲】
【請求項１】
容器の口部から容器内に垂設されたシリンダに対して常に上方に付勢された状態で所定範囲だけ上下動可能に配設されたピストンが、容器の口部に冠着されるキャップの天板中央部に立設された筒状部分を貫通する筒状のステム部分を介して、容器外に配置された吐出口を有するノズルと一体的に連結されているような吐出ポンプにおいて、ステム部分の外面側に、外方に突出した状態で上下方向に沿って規制用リブが形成されていると共に、キャップの筒状部分の内面側には、ステム部分の外周面と略摺接する内周面を持った開口縁部が、規制用リブの下端に当接する下降規制面を上面側に有し、且つ、規制用リブを上下摺動可能に嵌入させる下降許容溝の部分で不連続となるように、内方に突出した状態で円周方向に沿って形成されており、また、この開口縁部の下降規制面から上方に、規制用リブの円周方向での移動範囲を規制する回動規制部が、規制用リブが下降規制面に当接した所定の位置と、規制用リブが下降許容溝に嵌入する位置とで、それぞれ規制用リブと円周方向で当接するように形成されていることを特徴とする吐出ポンプ。
【請求項２】
ノズルが、ステム部分となる内筒部と、該内筒部と同心状でそれよりも大径の外筒部とを有するものであって、ノズルの内筒部の外面側に規制用リブが形成されていることを特徴とする請求項１に記載の吐出ポンプ。
【請求項３】
規制用リブが下降規制面と回動規制部とに当接して、ノズルの下降と一方向への回動が規制されたロック状態で、ノズルがロック解除方向に容易には回動しないように、回動規制部に対して、規制用リブとの当接面からロック解除方向で、規制用リブの幅と略同じかそれより僅かに大きな間隔を置いた位置に、規制用リブが乗り越え可能な回動抵抗部が形成されていることを特徴とする請求項１又は２に記載の吐出ポンプ。
【請求項４】
上限位置にあるノズルが容易には傾かないように、キャップの天板周辺部の下面側に、ノズルの上限位置でピストンの側面部分と微小な隙間を隔てて近接する傾き防止規制部が形成されていることを特徴とする請求項１乃至３の何れかに記載の吐出ポンプ。
【発明の詳細な説明】
【０００１】
【発明の属する技術分野】
本発明は、容器のキャップから上方に突設されたノズルを押し下げることで、容器内に収納された内容液を、そのまま或いは泡や霧の状態として、ノズルの吐出口から容器外に吐出するような吐出ポンプに関し、特に、そのような吐出ポンプにおいて、別部品のストッパー等を使用することなく、ノズルを回動させるだけで、上限位置にあるノズルを、押し下げできないロック状態から押し下げが可能なロック解除状態に容易に切り替えられるようにするための構造に関する。
【０００２】
【従来の技術】
シャンプー，リンス，ハンドソープ，洗顔剤，整髪剤，ひげ剃り剤等の液体を内容物とし、容器内のシリンダとピストン、及び、容器外のノズルとを主な構成部材とするポンプ機構を容器に一体的に設置したポンプ式吐出容器として、従来から様々なものが提案され既に商品化されており、その容器口部に設置されている吐出ポンプでは、容器のキャップから上方に突出したノズルを押し下げ操作することにより、容器の口部から容器内に垂設されたシリンダの内部で、キャップの天板部を貫通する円筒状のステム部分を介してノズルと連結されたピストンが、バネ力により常に上方に付勢された状態で所定範囲だけ上下動することで、容器内に収納されている液体がシリンダの下端から吸い上げられ、ピストンとステム部分の中空軸心部を通って、そのままの状態で、或いは、空気が混入された泡状態で、ノズルの吐出口から容器外に吐出されるようになっている。
【０００３】
そのようなポンプ式吐出容器について、消費者が使用を開始する前の流通・販売時の商品では、従来から、吐出ポンプとして、ノズルを下限位置に強制的にロックして維持した状態のものと、ノズルを上限位置に維持した状態のものとの両方が採用されているが、ノズルを上限位置に維持した状態のものでは、ピストンと連結されるノズルが、ピストンとシリンダの間に介装されたスプリングのバネ力により常に上方に付勢されているものの、強制的にノズルを上限位置に維持する手段を講じておかないと、そのままでは流通・販売時に誤ってノズルが上限位置から押し下げられる虞がある。
【０００４】
そのため、ノズルを上限位置に維持した状態で流通・販売される商品に使用される吐出ポンプの場合については、容器の口部に冠着されるキャップとノズルとの間にストッパーを介装させたり、或いは、ノズル全体を覆うオーバーキャップを更にキャップの上に装着したりすることで、消費者が使用を開始する前にノズルが誤って押し下げられるのを防止するということが従来から行なわれているが、そのような方法では、ストッパーやオーバーキャップのような部品が別途に必要となって、部品コストが増大することとなる。
【０００５】
これに対して、ノズルを上限位置に維持した状態で販売される商品に使用される吐出ポンプについて、別部品のストッパーやオーバーキャップを必要とすることなく、ノズルを回動するだけで、上限位置にあるノズルを、押し下げできないロック状態から押し下げが可能なロック解除状態に切り替えるための構造が、実公平６−４７５７１号公報に開示されており、具体的には、液体射出装置（吐出ポンプ）において、装着部材１（キャップ）に立設された係合筒４（筒状部分）に対して、その前部側に、ノズル管３（ノズルの吐出管）の下降を許容するノズル管降下許容溝５を、また、その後部側に、押し下げロック解除用溝６を、それぞれ頂面（係合筒４の上端面）から切欠いて形成する一方、ノズル管３（ノズル管保持筒１１）が前部側壁から突設している押下げヘッド２（ノズル）には、その裏面後部側に、係合筒４の頂面（上端面）に乗るストッパ１２を設けることで、押し下げヘッド２（ノズル）の回動により、ストッパ１２が押し下げロック解除用溝６に合致した位置で、押し下げヘッド２（ノズル）の押し下げが可能となるようにするということが開示されている。
【０００６】
なお、そのようにノズルを上限位置でロックするタイプの吐出ポンプでは、吐出ポンプ付きの商品を購入し、ロックを解除して容器内の内容液の使用を開始した後、再びロックする（例えば、旅行や銭湯に行く際に携帯する場合には、容器内の内容液がノズルの吐出口から吐出しないようにロックしておく必要がある）ような場合に、ノズルを押し下げる必要がないので、ノズルを下限位置でロックするタイプの吐出ポンプと比べて、再ロックの際に容器内の内容液をノズルの吐出口から無駄に吐出させて容器等を汚すようなことがないという利点がある。
【０００７】
【発明が解決しようとする課題】
ところで、上記のような従来公知の吐出ポンプ（液体射出装置）の構造によれば、別部品のストッパーやオーバーキャップを必要とすることなく、ノズル（押下げヘッド２）を回動するだけで、押し下げできないロック状態から押し下げ可能なロック解除状態に切り替えることができるものの、そのような切り替え操作に際して、ノズル（押下げヘッド２）の回動をロック解除位置で確実に停止させるための物理的な規制手段を有していないことから、位置合わせのための目印（ＯＮ，ＯＦＦのマーク）が付けられているとは言っても、そのような視覚によるだけの位置合わせでは、目印同士がきっちりと位置合わせされるようにノズル（押下げヘッド２）の回動を所定位置で止めるという面倒な操作が必要となる。特に、何らかの理由により目印を見ることなく手の感覚だけでノズル（押下げヘッド２）を回動させてロック解除する必要があるような場合には、ストッパ１２と押し下げロック解除用溝６とが合致する位置でノズル（押下げヘッド２）の回動を確実に止めるということが難しい。
【０００８】
また、ノズル管降下許容溝５や押し下げロック解除用溝６を、それぞれキャップの筒状部分（係合筒４）を切欠くことによって形成していることで、ノズル（押下げヘッド２）のガイドとして働くキャップの筒状部分（係合筒４）において、ノズル（押下げヘッド２）を直立状態に保持する支持力が低下することから、ノズル（押下げヘッド２）に対して側方からの外力が作用した時に、ノズル（押下げヘッド２）が傾き易くなって、その結果、ノズル（押下げヘッド２）が傾くことで、それと一体的に連結されている容器内のピストンが傾いてピストンとシリンダの間に隙間ができて漏れが生じるような虞がある。
【０００９】
本発明は、上記のような問題の解消を課題とするもので、具体的には、ノズルを上限位置に維持した状態で流通・販売される商品に使用される吐出ポンプについて、別部品のストッパーやオーバーキャップを必要とすることなく、ノズルを上限位置にロックして消費者が使用を開始する前にノズルが誤って押し下げられるのを防止できると共に、ノズルの押し下げロック解除の操作を簡単に行なうことができて、しかも、外力によってノズルが傾くようなことがないようにすることを課題とするものである。
【００１０】
【課題を解決するための手段】
本発明は、上記のような課題を解決するために、容器の口部から容器内に垂設されたシリンダに対して常に上方に付勢された状態で所定範囲だけ上下動可能に配設されたピストンが、容器の口部に冠着されるキャップの天板中央部に立設された筒状部分を貫通する筒状のステム部分を介して、容器外に配置された吐出口を有するノズルと一体的に連結されているような吐出ポンプにおいて、ステム部分の外面側に、外方に突出した状態で上下方向に沿って規制用リブが形成されていると共に、キャップの筒状部分の内面側には、ステム部分の外周面と略摺接する内周面を持った開口縁部が、規制用リブの下端に当接する下降規制面を上面側に有し、且つ、規制用リブを上下摺動可能に嵌入させる下降許容溝の部分で不連続となるように、内方に突出した状態で円周方向に沿って形成されており、また、この開口縁部の下降規制面から上方に、規制用リブの円周方向での移動範囲を規制する回動規制部が、規制用リブが下降規制面に当接した所定の位置と、規制用リブが下降許容溝に嵌入する位置とで、それぞれ規制用リブと円周方向で当接するように形成されていることを特徴とするものである。
【００１１】
上記のような構成によれば、規制用リブを下降規制面に当接した位置で回動規制部にも当接させることで、ノズルを確実に上限位置にロックしておくことができ、また、そのようなロック状態からノズルを回動可能な方向に回動させて規制用リブを再び回動規制部に当接させることで、規制用リブを下降許容溝に簡単に位置合わせすることができて、ノズルの押し下げロック解除の操作を簡単に行なうことができる。しかも、ノズルのガイドの役目を果たすキャップの筒状部分には何ら切欠き部分が形成されていないことから、ノズルに外力が作用しても、キャップの筒状部分によりノズル（ステム部分）を直立状態に確実に保持することができて、ノズル及びそれに連結されているピストンが傾くことはない。
【００１２】
【発明の実施の形態】
以下、本発明の吐出ポンプの実施形態について、図面に基づいて詳細に説明する。なお、本発明の吐出ポンプの一実施形態について、図１は、ノズルが上限位置（ロック状態）での吐出ポンプの内部構造を示し、図２は、ノズルが下限位置での吐出ポンプの内部構造を示し、図３は、ロック状態におけるノズルの（Ａ）吐出口を通る縦断面と（Ｂ）図ＡのＢ−Ｂ線に沿った内筒部の横断面とをそれぞれ示し、図４は、キャップの（Ａ）上方から見た状態と（Ｂ）正面から見た状態とをそれぞれ示し、図５は、キャップの筒状部分の上部を斜め上方から見た状態を示し、図６は、ノズルの内筒部（ステム部分）に形成された規制用リブと、キャップの筒状部分に形成された下降規制面、下降許容溝、回動規制部との位置関係について、（Ａ）押し下げロック状態と（Ｂ）押し下げロック解除状態とをそれぞれ示すものである。
【００１３】
本実施形態の吐出ポンプは、シャンプー，ハンドソープ，洗顔料，整髪料，ひげ剃り剤等、界面活性剤を含有する液体を収容したポンプ式泡吐出容器の容器口部に設置されるものであって、図１に示すように、吐出ポンプ１は、容器本体２の口部に対して螺合により着脱可能に冠着されるキャップ３から上方に、吐出口４ａを有するノズル４を押し下げ可能に突出させたものであり、吐出ポンプ１の押し下げヘッドとして操作されるノズル４は、スプリング（シリンダ５とピストン６との間に介装されたコイルスプリング１１）のバネ力によって常に上方に付勢された状態となっている。
【００１４】
そのような吐出ポンプ１では、ノズル４とシリンダ（大径の空気用シリンダと小径の液用シリンダとが一体成形されたシリンダ）５とピストン（大径の空気用ピストン部材６ａと小径の液用ピストン部材６ｂとの二部材によるピストン）６と各逆止弁７，８，９等が、キャップ３に対して一体的に組み付けられており、キャップ３を容器本体２の口部に螺合させた状態で、ノズル４の吐出口４ａは容器の外部でキャップ３の上方に位置し、シリンダ５は容器本体２の口部から容器の内部に向けて垂設され、複数の部材６ａ，６ｂからなるピストン６は、キャップ３の下面側に固定されるシリンダ５の内部で上下動可能となっていて、シリンダ５の内部は、ピストン６の液用ピストン部材６ｂによって、周辺部の空気室５ａと中心部の液室５ｂとに区画されている。
【００１５】
また、ノズル４とピストン６は、キャップ３の天板中央部から立設された筒状部分３ａに開設された開口部（開口縁部３ｄ）を貫通する筒状のステム部分４ｂによって一体的に連結されており、キャップ３の下面側に固定されたシリンダ５に対して一体的に上下動するようになっていて、シリンダ５とピストン６の間に介装されたコイルスプリング１１のバネ力によって常に上方に付勢されている。なお、本実施形態では、ノズル４は、水平方向に開口した吐出口４ａに連通する上下方向の吐出通路が内部に形成された内筒部４ｂと、この内筒部４ｂと同心状でそれよりも大径の外筒部４ｃとを有するものであって、ノズル４の内筒部４ｂが、ノズル４とピストン６とを連結する筒状のステム部分となっており、ノズル４の内筒部４ｂの下端部には、ピストン６の空気用ピストン部材６ａの上部小径筒部の上端部が嵌入されている。
【００１６】
そのようにコイルスプリング１１の付勢力により上限位置に維持されるノズル４は、後に詳しく説明するように、ノズル４の上限位置で、押し下げできないロック状態（なお、図１に示したものはロック状態となっている）から、ノズル４を回動することで、押し下げが可能なロック解除状態に切り替えられるようになっていて、押し下げが可能なロック解除状態としてから、コイルスプリング１１の付勢力に抗してノズル４を上方から押し下げることによって、図２に示すように、ノズル４（及びピストン６）をその下限位置にまで押し下げることができるようになっている。
【００１７】
上記のような構造の吐出ポンプ１では、ノズル４が上限位置でロックされた状態（図１に示した状態）から、ノズル４を回動することでロック状態を解除してから、コイルスプリング１１の付勢力に抗して、最初にノズル４を下限位置（図２に示した状態）にまで押し下げると、シリンダ５の内部でピストン６の各部材６ａ，６ｂが下降することにより、シリンダ５の内部が加圧されて、逆止弁７が開き、逆止弁８が閉じて、逆止弁９では空気導入孔の側（弁体の外周側）が閉じて空気供給通路の側（弁体の内周側）が開くことで、シリンダ５の内部の各室５ａ，５ｂに溜まっていた空気が、ノズル４の内筒部４ｂの内側の吐出通路に排出されて、ノズル４の吐出口４ａからは空気だけが吐出される。
【００１８】
そのような最初のノズル４の押し下げを解除すると、コイルスプリング１１の付勢力によりピストン６が上昇することによって、逆止弁７が閉じて液室５ｂの上端出口が閉鎖され、それに続いて、シリンダ５内の液室５ｂが負圧になり、逆止弁８が開いて液室５ｂの下端入口が開口されることで、容器本体２内の液体が導液管１２を通って液室５ｂ内に吸い上げられると共に、シリンダ５内の空気室５ａが負圧になり、逆止弁９では空気導入孔の側が開いて空気供給通路の側が閉じることで、ノズル４の内筒部４ｂとキャップ３の筒状部分３ａの貫通孔（開口縁部３ｄ）との隙間から進入した外部の空気が空気室５ａ内に供給されて、泡出しの準備状態が完了する。
【００１９】
そして、ノズル４が上限位置に復帰した状態から、再びノズル４を押し下げると、ピストン６と各逆止弁７，８，９は、最初の押し下げ操作時と同様に作動して、その結果、ピストン６の下降に連れて空気室５ａと液室５ｂが加圧されることで、空気室５ａの空気が吐出通路に向けて圧送されると共に、液室５ｂの液体が吐出通路に送り込まれて、両者は吐出通路の上流部（混合室）で混ざり合って泡立ち、更にネット１３、１３を通過することによってきめ細かく均質な泡に生成されてから、吐出通路を通ってノズル４の吐出口４ａから吐出されることとなり、以後、ノズル４の押し下げ操作と該操作の解除を繰り返すことによって、ノズル４の吐出口４ａから所望量の泡を吐出させることができるようになる。
【００２０】
ところで、上記のような本実施形態の吐出ポンプ１において、押し下げヘッドとして操作されるノズル４は、水平方向に開口した吐出口４ａに連通する上下方向の吐出通路が内部に形成された内筒部４ｂと、この内筒部４ｂと同心状でそれよりも大径の外筒部４ｃとを有するものであって、このノズル４の内筒部４ｂが、ノズル４とピストン６とを連結する筒状のステム部分となっているが、そのようなノズル４には、図３に示すように、ステム部分となる内筒部４ｂの上部の外面側に、外方に突出した状態で上下方向に延びる規制用リブ４ｄが形成されている。なお、本実施形態では、内筒部４ｂの外面には円周方向で等間隔を置いて３個の規制用リブ４ｄが形成されている。また、内筒部４ｂの内面には、吐出する泡をきめ細かく均質にするためのネット１３、１３を上下両端に設けたネット部材を所定位置に固定するために、内方に突出した状態で上下方向に延びるリブ４ｅが、円周方向で等間隔を置いて４個形成されている。
【００２１】
一方、キャップ３の筒状部分３ａの上部の内面側には、ノズル４の内筒部４ｂ（ステム部分）を貫通させるように、ノズル４の内筒部４ｂ（ステム部分）の外周面と略摺接する内周面を持った開口縁部３ｄが、内方に突出した状態で円周方向に沿って形成されていると共に、キャップ３の開口縁部３ｄには、内筒部４ｂ（ステム部分）の外面側に形成された規制用リブ４ｄに対応するように、図４および図５に示すように、規制用リブ４ｄの下端に当接する下降規制面３ｅが上面側に形成され、また、規制用リブ４ｄを上下摺動可能に嵌入させる下降許容溝３ｆが、円周方向で等間隔を置いて３個所に形成されていて、この下降許容溝３ｆの存在によって、円周方向に沿って形成された開口縁部３ｄは、全体として円周方向で不連続なものとなっている。なお、それぞれの下降規制面３ｅから下降許容溝３ｆに至るコーナー部分には、図５に示すように、面取り部３ｊがそれぞれ設けられており、それによって規制用リブ４ｄが回動操作時に滑らかに移動できるようになっている。
【００２２】
また、キャップ３の筒状部分３ａの上部の内面側には、内筒部４ｂ（ステム部分）の外面側に形成された規制用リブ４ｄに対応するように、規制用リブ４ｄの円周方向での移動範囲を規制する回動規制部３ｇが、開口縁部３ｄの下降規制面３ｅよりも上方で、下降許容溝３ｆと隣り合うように、円周方向で等間隔を置いて３個所に形成されており、それによって、図６（Ａ）に示すような、規制用リブ４ｄが下降規制面３ｅに当接した所定の位置と、図６（Ｂ）に示すような、規制用リブ４ｄが下降許容溝３ｆに嵌入する位置とで、それぞれ規制用リブ４ｄが回動規制部３ｇと円周方向で当接するようになっている。
【００２３】
また、キャップ３の筒状部分３ａの上部の内面側には、図６（Ａ）に示すような、規制用リブ４ｄが下降規制面３ｅと回動規制部３ｇとに当接して、ノズル４の下降と一方向への回動が規制されたロック状態で、ノズル４がロック解除方向（回動規制方向とは反対方向）に容易には回動しないように、回動規制部３ｇに対して、規制用リブ４ｄとの当接面からロック解除方向で、規制用リブ４ｄの幅と略同じかそれより僅かに大きな間隔を置いた位置に、規制用リブ４ｄが乗り越え可能な回動抵抗部３ｈが形成されている。
【００２４】
上記のような構造のノズル４の内筒部４ｂ（ステム部分）とキャップ３の筒状部分３ａとを有する本実施形態の吐出ポンプ１では、ノズル４の上限位置において、規制用リブ４ｄの下端が開口縁部３ｄの下降規制面３ｅに当接していることで、ノズル４の下降が規制された状態（押し下げがロックされた状態）となっており、また、そのようなロック状態で、図６（Ａ）に示すように、規制用リブ４ｄが回動規制部３ｇに当接していることで、ノズル４の一方向への回動が規制（完全に阻止）された状態となっている。なお、そのようなロック状態からのノズル４のロック解除方向への回動については、本実施形態では、回動規制部３ｇの規制用リブ４ｄとの当接面からロック解除方向で、規制用リブ４ｄの幅と略同じかそれより僅かに大きな間隔を置いた位置に、規制用リブ４ｄが乗り越え可能な回動抵抗部３ｈを形成していることから、規制用リブ４ｄが回動抵抗部３ｈを乗り越えるような力を加えない限り、ノズル４がロック解除方向に容易には回動することがないようになっている。
【００２５】
そして、そのようなノズル４の押し下げがロックされた状態から、所定以上の力（規制用リブ４ｄを回動抵抗部３ｈを乗り越えて移動させるだけの力）を加えて、ノズル４を回動可能な方向（当接している回動規制部３ｇから離れる方向）に回動させることで、ノズル４は必然的にロック解除方向に回動されて、そのまま他の回動規制部３ｇによってノズル４の回動が阻止されるまでノズル４を回動させることにより、図６（Ｂ）に示すように、規制用リブ４ｄは下降許容溝３ｆに嵌入する位置に確実に位置合わせされて、ノズル４の押し下げが可能なロック解除の状態となり、このロック解除状態から、コイルスプリング１１の付勢力に抗してノズル４を上方から押し下げることにより、図２に示すように、ノズル４（及びピストン６）をその下限位置にまで押し下げることができる。
【００２６】
上記のように上限位置にあるノズル４を押し下げロック状態からロック解除状態に切り替えている本実施形態の吐出ポンプ１によれば、規制用リブ４ｄを下降規制面３ｅに当接させた位置で回動規制部３ｇにも当接させることで、ノズル４を確実に上限位置にロックしておくことができ、また、そのようなロック状態からノズル４を単に回動可能な方向に回動させて、規制用リブ４ｄが他の回動規制部３ｇに再び当接して回動が阻止されるまで、そのままノズル４を回動させるだけで、自動的に規制用リブ４ｄを下降許容溝３ｆに位置合わせすることができて、ノズル４の押し下げロック解除の操作を簡単に行なうことができる。
【００２７】
また、ロックを解除して容器内の内容液を使用した後で、例えば、旅行に携帯する等の理由により再びロックする必要がある場合には、ノズル４を押し下げることなく、そのまま回動可能な方向に回動させて（下降許容溝３ｆと下降規制面３ｅとの境界部分に面取り部３ｊが設けられているので、回動操作はスムーズに行なうことができる）、規制用リブ４ｄの一つが回動抵抗部ｈを乗り越えて回動規制部３ｇに当接するまで回動させるだけで、ノズル４を再びロック状態にすることができる。そして、そのようなロック操作の際には、ノズル４を押し下げる必要がないことから、ノズルを押し下げて下限位置でロックするタイプの吐出ポンプと比べて、容器内の内容液を不必要に吐出させて容器等を汚すようなことはない。
【００２８】
また、ノズル４のガイドの役目を果たすキャップ３の筒状部分３ａには何ら切欠き部分が形成されておらず、キャップ３の開口縁部３ｄの内周面は、ノズル４の内筒部４ｂ（ステム部分）の外周面とは空気が通過できる程度の僅かなクリアランスを持って略摺接しており、このキャップ３の開口縁部３ｄが傾き防止規制部として働くことから、ノズル４に側方からの外力が作用しても、キャップ３の筒状部分３ａによってノズル４（ステム部分となる内筒部４ｂ）を直立状態に確実に保持することができ、ノズル４が傾くのを防止することができて、その結果、ノズル４と連結されているピストン６が傾くことでピストン６とシリンダ５の間に隙間ができて漏れが生じるようなことを確実に防止することができる。
【００２９】
なお、ノズル４の下降時や上昇時に、規制用リブ４ｄの外側面と、キャップ３の筒状部分３ａの内周面とは、摩擦抵抗が生じないように接触はしてはいないが、殆ど接触する程度に近接した状態となっており、ノズル４の下降時や上昇時には、この規制用リブ４ｄもノズル４の傾きを防止する働きをすることとなる。
【００３０】
さらに、本実施形態の吐出ポンプ１では、上限位置にあるノズル４が容易には傾かないように、キャップ３の天板周辺部３ｂの下面側に、ノズル４の上限位置でピストン６の側壁部分（具体的には、空気用ピストン部材６ａの逆止弁９を保持する部分の外側壁部）と微小な隙間を隔てて近接する傾き防止規制部３ｃが、天板周辺部３ｂの下面から下方に一体的に垂下するように形成されていることから、ノズル４に斜め方向の外力が加えられることでピストン６が傾こうとした場合には、ピストン６の側壁部分が傾き防止規制部３ｃに直ちに当接してそれ以上の傾きを防止することから、上限位置でのノズル４の傾き防止が一層確実なものとなっている。この傾き防止規制部３ｃについては、円周方向で連続した円筒状のものであっても良いし、円周方向に沿って配置された複数の突起からなるようなものであっても良い。
【００３１】
以上、本発明の吐出ポンプの一実施形態について説明したが、本発明は、上記のような実施形態に限定されるものではなく、例えば、規制用リブと下降許容溝と回動規制部のそれぞれの個数については、実施形態に示した個数（それぞれ３個）に限らず、適宜の個数として実施することが可能であり、また、回動規制部については、本実施形態では、各回動規制部において、その一方の側面がロック状態での規制用リブとの当接面となり、他方の側面がロック解除状態での規制用リブとの当接面となる（即ち、各回動規制部のそれぞれが、ロック状態とロック解除状態の何れでも規制用リブと当接する）ようにしているが、そのようなものに限らず、ロック状態での回動規制部とロック解除状態での回動規制部とを別個のものとして形成するようにしても良く、さらに、回動抵抗部やキャップ下面側の傾き防止規制部については、場合によっては省略しても良いものである。
【００３２】
また、対象となる吐出ポンプについては、内容物の液体に空気を混合して泡状としてから吐出するような吐出ポンプに限らず、液体を霧状に噴霧する吐出ポンプや、内容物の液体だけをそのまま吐出するような吐出ポンプであっても良く、ノズルについては、内筒部と外筒部とを有するものに限らず、外筒部を設けることなく内筒部の部分をステム部分として露出させたようなものでも良く、また、ノズルとピストンを連結するステム部分については、ノズルの側の筒状部分（内筒部）をステム部分とするものに限らず、ピストンの側の筒状部分（ピストンの上部に形成される小径筒状部）をステム部分として露出させたようなものでも良く、吐出ポンプの具体的なポンプ機構についても、上記の実施形態に示したようなものに限らず、従来から知られたその他のポンプ機構であっても良い等、適宜に変更可能なものであることは言うまでもない。
【００３３】
【発明の効果】
以上説明したような本発明の吐出ポンプによれば、別部品のストッパーやオーバーキャップを必要とすることなく、ノズルを確実に上限位置にロックしておくことができて、消費者が使用を開始する前にノズルが誤って押し下げられるのを防止することができると共に、ノズルの押し下げロック状態から、回動可能な方向に回動が阻止されるまで単にノズルを回動し続けるだけで、ノズルをロック解除位置に自動的に位置合わせすることができて、ノズルの押し下げロック解除の操作を簡単に行なうことができる。また、ノズルに側方からの外力が作用しても、キャップの筒状部分によりノズルを直立状態に確実に保持することができ、ノズルが傾くのを防止することができて、その結果、ノズルと連結されているピストンが傾くことでピストンとシリンダの間に隙間ができて漏れが生じるようなことを確実に防止することができる。
【図面の簡単な説明】
【図１】本発明の吐出ポンプの一実施形態について、ノズルが上限位置（ロック状態）
での吐出ポンプの内部構造を示す縦断面図。
【図２】ノズルが下限位置での吐出ポンプの内部構造を示す縦断面図。
【図３】吐出ポンプのノズル（ロック状態）を示す（Ａ）吐出口を通る全体の縦断面図
、および（Ｂ）図ＡのＢ−Ｂ線に沿った内筒部の横断面図。
【図４】吐出ポンプのキャップを示す（Ａ）上面図、および（Ｂ）正面図。
【図５】吐出ポンプのキャップの筒状部分の上部を示す斜視図。
【図６】吐出ポンプのステム部分（ノズルの内筒部）に形成された規制用リブと、キャップの筒状部分に形成された下降規制面、下降許容溝、回動規制部との位置関係について、（Ａ）押し下げロック状態と（Ｂ）押し下げロック解除状態とをそれぞれ示す上面説明図。
【符号の説明】
１        吐出ポンプ
２        容器（容器本体）
３        キャップ
３ａ      筒状部分
３ｃ      傾き防止規制部
３ｄ      開口縁部
３ｅ      下降規制面
３ｆ      下降許容溝
３ｇ      回動規制部
３ｈ      回動抵抗部
４        ノズル
４ａ      吐出口
４ｂ      内筒部（ステム部分）
４ｃ      外筒部
４ｄ      規制用リブ
５        シリンダ
６        ピストン
【図１】
2004218556.tif 000003
【図２】
2004218556.tif 000004
【図３】
2004218556.tif 000005
【図４】
2004218556.tif 000006
【図５】
2004218556.tif 000007
【図６】
2004218556.tif 000008